(57)【要約】      （修正有）【課題】開放側面の下縁に緩衝材を備えたドアにおいて、ドアの戸先下端部の意匠性を向上させ、掃除が行いやすいドアを提供する。【解決手段】ドア本体１の戸先側に取付けられる戸先部材２と、ドア本体１の室外側下縁に沿って取付けられる緩衝材３と、戸先部材２の下端に装着される戸先下端キャップ４とを備え、戸先部材２は、ドア本体１が閉じた際に枠体の室外側面に当接あるいは近接する枠対向面部と、ドア本体１の戸先の室外側面を覆う室外側面部とを有し、戸先下端キャップ４は、戸先部材２の枠対向面部の下端を覆う室外側延設部と、緩衝材３の戸先側端部３ｅを覆う緩衝材被覆部とを有し、室外側延設部の室外側面と緩衝材被覆部の室外側面が面一に連続しているとともに、緩衝材３の戸先側端部３ｅと戸先部材２の室外側面部とが見込み方向で重複している。【選択図】図９
2015166545.tif 000002
【特許請求の範囲】
【請求項１】
ドア本体の戸先側に取付けられる戸先部材と、ドア本体の室外側下縁に沿って取付けられる緩衝材と、戸先部材の下端に装着される戸先下端キャップとを備え、
戸先部材は、ドア本体が閉じた際に枠体の室外側面に当接あるいは近接する枠対向面部と、ドア本体の戸先の室外側面を覆う室外側面部とを有し、
戸先下端キャップは、戸先部材の枠対向面部の下端を覆う室外側延設部と、緩衝材の戸先側端部を覆う緩衝材被覆部とを有し、
室外側延設部の室外側面と緩衝材被覆部の室外側面が面一に連続しているとともに、緩衝材の戸先側端部と戸先部材の室外側面部とが見込み方向で重複している
ことを特徴とするドア。
【発明の詳細な説明】
【技術分野】
【０００１】
本発明は、建物の開口部に設けられるドア、特に、開放側面の下縁に緩衝材を備えたドアに関する。
【背景技術】
【０００２】
玄関や部屋への出入り口等建物の開口部には、開口部を開閉するドアが配置されるが、ドアの開放側面の下縁には、ドアと開口部との間にものが挟まれないように、また、使用者の足の指がドアの下辺に接触して怪我をすることを防止するために、緩衝材が配置されている。
一方、ドアの戸先側には、建物開口部の枠体を構成する縦枠に対して室外側から当接あるいは近接して見込み方向の隙間を塞ぐ戸先部材がドアの上下方向略全長に沿って設けられている。
【０００３】
そして、戸先部材の下端を合成樹脂等軟質材の戸先下端キャップで覆うことにより戸先部材の下端が使用者の足の指に接触して怪我をすることを防止するとともに、戸先下端キャップに緩衝材を被覆する被覆部を延設することにより、緩衝材から戸先部材までを連続させ、隙間が生じないようにしていた。（特許文献１）
【先行技術文献】
【特許文献】
【０００４】
【特許文献１】特開２０１３−１８５３１１号公報
【発明の概要】
【発明が解決しようとする課題】
【０００５】
しかしながら、上記特許文献１のドアの戸先下端キャップは、戸先部材を覆う部分より戸尻側に被覆部を延設しているために戸先下端キャップが見付け方向で長くなり、また、戸先下端キャップの戸先部分を覆う部分と緩衝材を被覆する被覆部との間に段差が生じるなど、戸先下端キャップの形状が複雑で成型が比較的難しく、製造コストの上昇につながりかねなかった。また、形状が複雑であるため埃がたまりやすく掃除の負担が増える可能性があった。
【０００６】
本発明は、上記事情を鑑みたものであり、戸先下端キャップの形状を単純にかつ小型化することにより、戸先下端キャップの製造を容易にして製造コストを下げると共に、ドアの戸先下端部の意匠性を向上させ、掃除が行いやすいドアを提供することを目的とする。
【課題を解決するための手段】
【０００７】
本発明は、ドア本体の戸先側に取付けられる戸先部材と、ドア本体の室外側下縁に沿って取付けられる緩衝材と、戸先部材の下端に装着される戸先下端キャップとを備え、戸先部材は、ドア本体が閉じた際に枠体の室外側面に当接あるいは近接する枠対向面部と、ドア本体の戸先の室外側面を覆う室外側面部とを有し、戸先下端キャップは、戸先部材の枠対向面部の下端を覆う室外側延設部と、緩衝材の戸先側端部を覆う緩衝材被覆部とを有し、室外側延設部の室外側面と緩衝材被覆部の室外側面が面一に連続しているとともに、緩衝材の戸先側端部と戸先部材の室外側面部とが見込み方向で重複していることを特徴とする。
【発明の効果】
【０００８】
本発明によれば、戸先下端に取り付ける戸先下端キャップの製造コストを抑えることができ、戸先下端キャップを取付けたドアの意匠性を向上させるとともに、戸先下端部の掃除を簡単に行うことができるドアを提供することができる。
【図面の簡単な説明】
【０００９】
【図１】本発明の実施形態に係るドアの全体図である。
【図２】本発明の実施形態に係るドアの戸先側下部に取付けられる部材を示す図である。
【図３】（ａ）は本発明の第１の実施形態に係るドアの下部に緩衝材を取付けた状態を示す断面図、（ｂ）は緩衝材を取り外した状態を示す断面図である。
【図４】（ａ）は本発明の第１の実施形態に係るドアの戸先側に戸先部材、緩衝材取付部材を取付けた状態及び緩衝材、戸先下端キャップを示す断面図、（ｂ）は同正面図、（ｃ）は、同側面図である。
【図５】（ａ）は本発明の第１の実施形態に係るドアの戸先側に戸先部材、緩衝材及び戸先下端キャップを取付けた状態を示す断面図、（ｂ）は同正面図、（ｃ）は、同側面図である。
【図６】本発明の第１の実施形態に係るドアの戸先下端キャップを示す斜視図である。
【図７】本発明の第１の実施形態に係るドアの戸先下端キャップを示す斜視図である。
【図８】本発明の第１の実施形態に係るドアの戸先下端キャップを示す斜視図である。
【図９】本発明の第１，２の実施形態に係るドアの戸先側下部を下方より見た斜視図である。
【図１０】（ａ）は本発明の第２の実施形態に係るドアの下部に緩衝材を取付けた状態を示す断面図、（ｂ）は緩衝材を取り外した状態を示す図である。
【図１１】（ａ）は本発明の第３の実施形態に係るドアの下部に緩衝材を取付けた状態を示す断面図、（ｂ）は緩衝材を取り外した状態を示す図である。
【図１２】本発明の第３の実施形態に係るドアの戸先側下部を下方より見た斜視図である。
【発明を実施するための形態】
【００１０】
本発明の実施形態について、図面を参照して説明する。図１、２に示すように、本発明のドアは、ドア本体１と、ドア本体１の戸先側外周面に取付けられる戸先部材２と、ドア本体１の室外側下縁の戸先付近から所定範囲に亘って取付けられる緩衝材３と、戸先部材２の下端に装着される戸先下端キャップ４とを備えている。緩衝材３は、ドア本体１の下端縁に固定される緩衝材取付部材３１を介して取り付けられている。
【００１１】
図３に示すように、ドア本体１は、断面Ｕ字状の樹脂フレーム１２を上下左右の四周に組んでなるフレーム枠の表裏面を鋼板１１により覆ってなるパネルにより構成されている。パネルの室外側下縁の戸先付近から所定範囲には、底壁３１ａ及び底壁３１ａの両側から両側壁３１ｂ，３１ｃが形成されてなる緩衝材取付部材３１がリベット等により固定され、緩衝材取付部材３１の底壁３１ａ及び両側壁３１ｂ，３１ｃにより構成される固定溝３１ｄが室外側に向けて開口している。緩衝材取付部材３１の上方に位置する側壁３１ｂの外側面には、上方に向けて開口する係止溝３１ｅが形成されている。
【００１２】
緩衝材３は、緩衝材取付部材３１の固定溝３１ｄに挿入される固定脚３ａと、固定脚３ａに連続し略半円形状の外周面を備える緩衝部３ｂと、緩衝部３ｂの下端片を延設してなる下被覆部３ｃと、緩衝部３ｂの上端片の内周に形成される係止片３ｄとを備えており、緩衝材３の固定脚３ａを緩衝材取付部材３１の固定溝３１ｄに挿入させるとともに、緩衝材３の係止片３ｄが緩衝材取付部材３１の係止溝３１ｅに係止して緩衝材３がドア本体１に取付けられている。
【００１３】
ドア本体１に緩衝材取付部材３１を介して緩衝材３が取付けられると、緩衝材３の緩衝部３ｂがドア本体１の室外側に向けて配置され、かつ、ドア本体１の室外側から底面が緩衝材３の下被覆部３ｃにより覆われるため、ドアの開閉に伴って使用者の足先がドアに接触した際の衝撃を和らげると共に、ドアの下面にものが入り込むことを防止することができる。
【００１４】
（戸先部材の構成）
図２、４、５に示すように、ドア本体１の戸先側外周面には、その上下方向全長に亘って戸先部材２が取付けられる。戸先部材２は、その見込み方向中央付近に長手方向に延びる凹部２１ａと凹部２１ａの室内側に沿って形成され戸先部材２とドア本体１との間のシールを行うシール部２１ｂとからなる戸先部材固定部２１と、戸先部材固定部２１の室外側に延設されドア本体１より室外側に略Ｌ字形に設けられる枠対向面部２２と、戸先部材固定部２１の室外側に連設されドア本体１の戸先の室外側面を覆う室外側面部２３とにより構成されており、凹部２１ａに設けたネジ孔及びネジ等によりドア本体１の戸先側外周面に固定されている。
【００１５】
ドア本体１の戸先側端部は鋼板１１ａ，１１ｂが樹脂フレーム１２に沿って屈曲して形成されており、戸先部材２をドア本体１の戸先側外周面に固定することにより、樹脂フレーム１２と戸先部材２とで鋼板１１ａ，１１ｂの屈曲端部を挟み込み、ドア本体１の室内側鋼板１１ｂと戸先部材２との間をシール部２１ｂによりシールするとともに、ドア本体１の室外側鋼板１１ａの戸先側端の室外側面を室外側面部２３が当接して覆っている。ドアの閉鎖時には、戸先部材２の枠対向面部２２が枠体Ｗに対して室外側から当接あるいは近接して、枠体Ｗとドアとの間の直線的な連通を防いでいる。
【００１６】
戸先部材２の下端には合成樹脂等の硬質材からなる戸先下端キャップ４が装着されており、戸先部材２の戸先部材固定部２１、枠対向面部２２、室外側面部２３の下端を保護するとともに、戸先部材２に対して使用者の足先が接触した際の怪我を防止している。なお、戸先下端キャップ４の材料は、硬質材に限るものではなく、軟質の合成樹脂、ゴム、シリコン等により形成することも可能である。
【００１７】
（戸先下端キャップの構成）
図４乃至８に示すように、戸先下端キャップ４は、戸先部材２の戸先部材固定部２１の下面及びドア本体１の戸先側下面を覆う基部４１と、基部４１の戸先側上面より立ち上がりネジ孔４２ａを備えた固定部４２と、固定部４２より室外側に延設され戸先部材２の枠対向面部２２の下面及び下端側面を覆う室外側延設部４３と、戸先部材２の室外側面部２３を室外側より覆う室外壁部４４とを有し、室外壁部４４の室外側には緩衝材３の戸先側端部３ｅを覆う緩衝材被覆部４５が形成されている。
【００１８】
基部４１は、戸先側の高段部４１ａと吊元側の低段部４１ｂとにより段状に形成されており、高段部４１ａの上面に戸先部材２の下端面が当接されるとともに、低段部４１ｂの上面にドア本体１の戸先側下端面が当接されることにより、ドア本体１と戸先部材２との隙間を下面より覆い、かつ、ドア本体１の下面と戸先下端キャップ４の下面とが略面一となるように構成されている。
【００１９】
なお、図４（ｂ）に示すように、ドア本体１の戸先側下端部に切欠き１ａを形成し戸先部材２の下端と切欠き１ａの上辺とが面一となるように戸先部材２を配置し固定して、基部４１の高段部４１ａ上面にドア本体１の切欠き１ａの上辺下面と戸先部材２の下端面を当接させて戸先下端キャップ４を装着することにより、ドア本体１に対する戸先部材２の上下方向の位置決めを容易にするとともに、ドア本体１、戸先部材２及び戸先下端キャップ４との間に隙間が生じることを防止することができる。
【００２０】
戸先下端キャップ４の固定部４２は、戸先部材２の凹部２１ａと略同一もしくはやや小さい幅を有しており、その見込み方向中央付近にネジ孔４２ａが形成され、固定部４２を戸先部材２の凹部２１ａに納めた状態でネジ等により戸先部材２と共にドア本体１に固定される。
【００２１】
戸先下端キャップ４の室外側延設部４３は、戸先部材２の枠対向面部２２と同じ平面視略Ｌ字形に形成され、枠対向面部２２の下端面を覆う底面部４３ａと底面部４３ａから立上り枠対向面部２２の下端部側壁を覆う側壁部とより構成されている。前記側壁部は枠対向面部２２の戸先面を覆う戸先面壁４３ｂ、室内側面を覆う室内面壁４３ｃ、室外側面を覆う室外面壁４３ｄ、戸尻面を覆う戸尻面壁４３ｅを連続して形成され、戸先面壁４３ｂは固定部４２の戸先側面に接続している。底面部４３ａは基部４１と同一面で連続して形成されている。
【００２２】
戸先下端キャップ４の室外壁部４４は、戸先部材２の室外側面部２３の室外側を覆うように戸尻面壁４３ｅの室内側端に連続して基部４１から立設して形成され、その戸尻側端部は屈曲して屈曲壁部４４ａが形成され、室外側面部２３の戸尻側端を覆っている。
【００２３】
室外壁部４４の室外側に形成される戸先下端キャップ４の緩衝材被覆部４５は、緩衝材３の緩衝部３ｂの室外側を覆う室外側面部４５ａと上側を覆う上面部４５ｂとを有し、室外壁部４４及び室外側延設部４３の戸尻面壁４３ｅとともに吊元側に開口する緩衝材挿入部４６を形成している。
【００２４】
緩衝材被覆部４５は、その左右方向の幅が戸先部材２の室外側面部２３を覆う室外壁部４４の左右方向の幅と略同一であって、かつ見込み方向に重複して形成されているので、戸先下端キャップ４の緩衝材被覆部４５は戸先部材２より吊元側に延設されず、戸先下端キャップ４により戸先部材２の下端と緩衝材３の戸先側端部３ｅの両者を被覆しながら、戸先下端キャップ４の大きさを戸先部材２の断面形状と略同一の小さいものに形成することができる。
また、室外側延設部４３、室外壁部４４及び緩衝材被覆部４５は、同一高さに構成されると共に、緩衝材被覆部４５の室外側面部４５ａは室外側延設部４３の室外面壁４３ｄと略面一に連続して形成されているので、戸先下端キャップ４の室外側面が面一の長方形状の立面のみとなるので、埃等が溜まりにくく清潔を保つことができ、掃除がしやすい。
また、緩衝材挿入部４６の下面は開口され、緩衝材３の取付けや交換時の作業を容易にしている。
【００２５】
（各部材の取付構造）
ドア本体１の室外側下縁には、戸先部材２及び戸先下端キャップ４と干渉しないように、緩衝材取付部材３１がドア本体１の戸先側端部より所定の幅あけた位置からドア本体１の中央よりやや吊元側位置に亘って設けられる。
【００２６】
ドア本体１に取付けられた緩衝材取付部材３１の固定溝３１ｄに対して、緩衝材３の固定脚３ａが室外側より嵌め込まれる。このとき緩衝材取付部材３１及び緩衝材３が、それぞれ係止溝３１ｅ及び係止片３ｄを備えているので、緩衝材３の係止片３ｄを緩衝材取付部材３１の係止溝３１ｅに係止することにより緩衝材３の落下をより防止することができる。
【００２７】
そして、緩衝材３の戸先側端部３ｅは、ドア本体１に固定された緩衝材取付部材３１より戸先側に突出するように配置され、緩衝材取付部材３１の吊元側端部には図示しないキャップが嵌め込まれて、緩衝材取付部材３１の固定溝３１ｄに嵌め込まれた緩衝材３が固定溝３１ｄの吊元側端部から脱落することを防止している。なお、緩衝材取付部材３１の所定の位置をかしめることによって緩衝材３の位置決め固定を行っても良い。
【００２８】
図４、５、９に示すように、緩衝材３が取り付けられたドア本体１の戸先側外周面には戸先部材２がネジ等により固定され、戸先部材２の下端には戸先下端キャップ４が装着される。緩衝材取付部材３１より戸先側に突出する緩衝材３の戸先側端部３ｅの室内側は戸先下端キャップ４と干渉しないように切り欠かれており、戸先下端キャップ４の緩衝材挿入部４６に挿入されることにより、緩衝材３の戸先側端部３ｅが戸先部材２の室外側面部２３と見込み方向に重複した状態で緩衝材被覆部４５により被覆される。緩衝材３の戸先側端部３ｅは、その先端が戸尻面壁４３ｅに当接するまで緩衝材挿入部４６に挿入してもよいが、緩衝材３の膨張等を考慮して、戸尻面壁４３ｅと所定間隔を設けて挿入してもよく、緩衝材３の戸先側端部３ｅが戸先部材２の室外側面部２３と見込み方向に少しでも重複した状態であれば、緩衝材３の戸先側端部３ｅの先端は緩衝材被覆部４５により確実に被覆することができる。
なお、図５、９おいては、緩衝材３の戸先側端部３ｅは、戸先下端キャップ４と干渉する部分を切り欠いて緩衝材挿入部４６に挿入しているが、緩衝材３の戸先側端部３ｅを切り欠かずに戸先側端部３ｅの弾性を利用して屈曲させることにより緩衝材挿入部４６に挿入することもできる。
【００２９】
また、図９に示すように、下面が開口する緩衝材挿入部４６に対して、緩衝材３の下被覆部３ｃを切除して挿入することにより、下被覆部３ｃが戸先下端キャップ４の下面と干渉して盛り上がることなく、緩衝部３ｂ下面を緩衝材３の全長に亘って同じ高さ状態に維持することができる。
【００３０】
戸先下端キャップ４の下面は、基部４１の低段部４１ｂの高さ分だけドア本体１より下方に位置しているので、緩衝材挿入部４６に挿入された緩衝材３と戸先下端キャップ４の下面とが面一となり、緩衝材３から戸先下端キャップ４まで連続して、怪我防止とものの挟まりを防止することができる。
なお、ドアの下面と下枠との隙間の大きさによっては、緩衝材挿入部４６の下面の開口より緩衝材３を突出させて、ドアの下面にものが入り込むことを防止することも可能であり、そのような際には、緩衝材３の下被覆部３ｃは必ずしも切除する必要はない。
【００３１】
−第２の実施形態−
本発明の第２の実施形態を、図１０を参照して説明する。
第２の実施形態においては、緩衝材３及び緩衝材取付部材３１の構成が第１の実施形態と異なっている。
具体的には、第１の実施形態において、緩衝材取付部材３１の上方に位置する側壁３１ｂに形成される係止溝３１ｅ及び緩衝材３の係止片３ｄが削除されており、緩衝材取付部材３１に対する緩衝材３の取付けは、主に、緩衝材取付部材３１の底壁３１ａ及び両側壁３１ｂ，３１ｃにより構成される固定溝３１ｄと緩衝材３の固定脚３ａとによって成されている。
そして、緩衝材３を緩衝材取付部材３１の固定溝３１ｄにより確実に取付けるために、固定溝３１ｄを構成する両側壁３１ｂ，３１ｃの先端には、互いに近接するように係止爪受部３１ｆ，３１ｆが設けられているとともに、緩衝材３の固定脚３ａには、前記係止爪受部３１ｆ，３１ｆに係止する係止爪３ｆ，３ｆが形成されている。
なお、図１０に示す第２の実施形態に使用する緩衝材３においては、その取付けをより確実なものとするために、緩衝材取付部材３１の両側壁３１ｂ，３１ｃの外側に突起３１ｇ，３１ｇを設け、緩衝材３の緩衝部３ｂの内周に前記突起３１ｇ，３１ｇに係合する爪部３ｇ，３ｇが設けられている。
【００３２】
緩衝材３を緩衝材取付部材３１に取付けるには、緩衝材３の固定脚３ａを緩衝材取付部材３１の固定溝３１ｄに挿入することにより、固定脚３ａの係止爪３ｆ，３ｆが緩衝材取付部材３１の係止爪受部３１ｆ，３１ｆに係合して固定されるので、緩衝材取付部材３１に対して緩衝材３を簡単に取り付けることができる。
【００３３】
−第３の実施形態−
本発明の第３の実施形態を、図１１、１２を参照して説明する。
第３の実施形態においては、緩衝材３の構成が第１，２の実施形態と異なっている。
具体的には、第１，２の実施形態において、緩衝材３は、緩衝部３ｂの下端片が延設してなる下被覆部３ｃを備えているが、第３の実施形態においては、下被覆部３ｃを備えていない。そのため、図１２からもわかるように、緩衝材３の取付け高さに微小な誤差が生じてもドア本体１の下面と緩衝材３が干渉して、取付を煩雑にしたり、下被覆部３ｃに撓みが生じることがない。なお、第３の実施形態に使用される緩衝材３のその他の構成については、第２の実施形態と同様であるので、その説明は省略する。
【００３４】
緩衝材３が下被覆部３ｃを備えていないため、緩衝材３が上下対称の断面形状となり、その取付け向きに制限がなく取付け作業が容易になるとともに、材料の節約ができる。また、下被覆部３ｃが経年劣化に垂れてきたり、さらには下枠に接触して下枠の塗装等がはげるなどして意匠性が落ちることを防止できる。
【００３５】
（本発明の実施形態による作用・効果）
以上のように、戸先部材２の下端を覆う戸先下端キャップ４にはドア本体１の室外側下縁に配置される緩衝材３の戸先側端部３ｅを覆う緩衝材被覆部４５が形成されており、緩衝材被覆部４５の室外側面と戸先部材２の枠対向面部２２の室外側面を覆う室外面壁４３ｄとが面一に形成されているので、戸先下端キャップ４の室外側が面一の壁面となり、形状が簡素化でき、床面に近い位置にありながら凹部や段差がなく埃などがたまりにくく、掃除を容易にし、意匠性も向上する。
【００３６】
また、緩衝材３の戸先側端部３ｅと戸先部材２の室外側面部２３とが見込み方向で重複しているので、緩衝材被覆部４５の左右方向の幅を戸先部材２の室外側面部２３を覆う室外壁部４４の左右方向の幅と略同一に形成すればよく、戸先下端キャップ４の緩衝材被覆部４５を戸先部材２より吊元側に延設する必要がないので、戸先下端キャップ４により戸先部材２の下端と緩衝材３の戸先側端部３ｅの両者を被覆しながら、戸先下端キャップ４の大きさを戸先部材２の断面形状と略同一の小さいものにでき、形状の簡素化と相まって、その成型負担や材料の軽減を図ることができる。
【符号の説明】
【００３７】
１  ドア本体
１ａ切欠き
２  戸先部材
２１  戸先部材固定部
２１ａ  凹部
２１ｂ  シール部
２２  枠対向面部
２３  室外側面部
３  緩衝材
３ａ  固定脚
３ｂ  緩衝部
３ｃ  下被覆部
３ｄ  係止片
３ｅ  戸先側端部
３ｆ  係止爪
３ｇ  爪部
３１  緩衝材取付部材
３１ａ  底壁
３１ｂ，３１ｃ  側壁
３１ｄ  固定溝
３１ｅ  係止溝
３１ｆ  係止爪受部
３１ｇ  突起
４  戸先下端キャップ
４１  基部
４１ａ  高段部
４１ｂ  低段部
４２  固定部
４２ａ  ネジ孔
４３  室外側延設部
４３ａ  底面部
４３ｂ  戸先面壁
４３ｃ  室内面壁
４３ｄ  室外面壁
４３ｅ  戸尻面壁
４４  室外壁部
４４ａ  屈曲壁部
４５  緩衝材被覆部
４５ａ  室外側面部
４５ｂ  上面部
４６  緩衝材挿入部
【図１】
2015166545.tif 000003
【図２】
2015166545.tif 000004
【図３】
2015166545.tif 000005
【図４】
2015166545.tif 000006
【図５】
2015166545.tif 000007
【図６】
2015166545.tif 000008
【図７】
2015166545.tif 000009
【図８】
2015166545.tif 000010
【図９】
2015166545.tif 000011
【図１０】
2015166545.tif 000012
【図１１】
2015166545.tif 000013
【図１２】
2015166545.tif 000014